(57)【要約】ａ）例えば半波長ストリップ線路共振器などのマイクロ波集積回路（１１）上に配置された、例えばディスク状ＹＩＧ結晶などの強磁性薄膜共振板（１１０）を含むマイクロ波共振器（１）、ｂ）前記強磁性薄膜共振板（１１０）に垂直にバイアス磁界を印加するためのバイアス磁界手段（１２）、ｃ）発振用能動素子（２１）、受動帰還素子（２４）、および、負荷帰還ループ（４）を介して、当該強磁性薄膜共振板（１１０）のマイクロ波特性により制御される負荷（２３，２５）、ならびにｄ）前記発振用能動素子（２１）と前記マイクロ波共振器（１）との間に接続され、当該強磁性薄膜共振板（１１０）のパラメトリック励起された共振の一つにおいて持続的発振を確立させるためのオーバーオール正帰還ループ（３，１４，１５）を含む、強磁性薄膜共振器を用いたマイクロ波同調発振器。
2008514060.tif 000002
【特許請求の範囲】
【請求項１】
強磁性薄膜共振器を用いたマイクロ波同調発振器であって、
ａ）マイクロ波集積回路（１１）上に配置された強磁性薄膜共振板（１１０）を含むマイクロ波共振器（１）、
ｂ）前記強磁性薄膜共振板（１１０）に垂直にバイアス磁界を印加するためのバイアス磁界手段（１２）、
ｃ）発振用能動素子（２１）、受動帰還素子（２４）、および、負荷帰還ループ（４）を介して、当該強磁性薄膜共振板（１１０）のマイクロ波特性により制御される負荷（２３，２５）、ならびに
ｄ）前記発振用能動素子（２１）と前記マイクロ波共振器（１）との間に接続され、当該強磁性薄膜共振板（１１０）のパラメトリック励起された共振の一つにおいて持続的発振を確立させるためのオーバーオール正帰還ループ（３，１４，１５）
を含むことを特徴とするマイクロ波同調発振器。
【請求項２】
前記オーバーオール正帰還ループ（３，１４，１５）が、マイクロ波の励起によって、共鳴飽和または副共鳴の非線形運動レジームにおける前記強磁性薄膜共振板（１１０）の磁化が引き起こされるように、前記発振用能動素子（２１）の出力を増幅させるための振幅安定化増幅器（３）を含む請求項１に記載のマイクロ波同調発振器。
【請求項３】
前記振幅安定化増幅器（３）が、前記マイクロ波共振器（１）に静的なマイクロ波の励起をもたらすための、クランプ手段（３１，３２）および増幅手段（３０）を含む請求項２に記載のマイクロ波同調発振器。
【請求項４】
前記オーバーオール正帰還ループ（３，１４，１５）が、発振器（４１）、および、小さいＡＣ変調と前記振幅安定化増幅器（３）の出力とを重ねるためのミキサー（１４）をさらに含む請求項２または３に記載のマイクロ波同調発振器。
【請求項５】
変調周波数で動作し、前記マイクロ波共振器（１）と前記発振用能動素子（２１）との間に接続される同期位相検出器（１３４）をさらに含む請求項１〜４のいずれか１項に記載のマイクロ波同調発振器。
【請求項６】
前記強磁性薄膜共振板（１１０）が、ＹＩＧ（イットリウム・鉄・ガーネット）結晶である請求項１〜５のいずれか１項に記載のマイクロ波同調発振器。
【請求項７】
前記ＹＩＧ結晶（１１０）が、ディスク状である請求項６に記載のマイクロ波同調発振器。
【請求項８】
前記マイクロ波集積回路（１１）が、半波長ストリップ線路共振器をさらに含む請求項６または７に記載のマイクロ波同調発振器。
【請求項９】
前記半波長ストリップ線路共振器（１１）が、一方の面が導電性の接地層（１１４）で覆われ、他方の面が被エッチング部（１１５）を有する金のストライプ（１１１）で覆われたアルミナ基板（１１３）を含み、前記ＹＩＧ結晶（１１０）が、前記半波長ストリップ線路共振器（１１）の中央に配置され、ＧＧＧ（ガドリニウム・ガリウム・ガーネット）基板（１１２）が、前記ＹＩＧ結晶（１１０）と前記半波長ストリップ線路共振器（１１）との間に介挿されている請求項８に記載のマイクロ波同調発振器。
【請求項１０】
前記発振用能動素子（２１）が、高速トランジスタを含む請求項１〜９のいずれか１項に記載のマイクロ波同調発振器。
【請求項１１】
前記高速トランジスタが、インピーダンス整合負荷（２３）に接続されたドレイン、前記受動帰還素子（２４）を介して接地されたゲート、および同調発振器の自己発振の周波数に応じて前記負荷を変化させる別のトランジスタ（２２）に接続されたソースを有するＧａＡｓ  ＦＥＴである請求項１０に記載のマイクロ波同調発振器。
【発明の詳細な説明】
【技術分野】
【０００１】
本発明は、極低位相雑音のマイクロ波同調発振器に関する。その用途は、いくつか例示すると、通信装置、近代コンピュータ、またはその周辺機器に見られる、カウンタ、タイマー、受信機、または波形発生器、およびその他の多くの装置を含む。
【背景技術】
【０００２】
非常に大きなＱ値（quality factor）の利益が得られる同調可能な共鳴現象の選択は、マイクロ波の周波数域では非常に限られている。強磁性共鳴が、マイクロ波発振器の最良な同調素子であることが見出されている。強磁性共鳴が最良であることを説明する理由がいくつかある。一つは、大きな電子磁気モーメント（例えば、ボーア磁子にして大きさで３桁小さい核磁気共鳴とは対照的である）、および低磁場での飽和磁化（例えば、非常に大きな外部磁場を必要とする常磁性共鳴とは対照的である）の両方の恩恵が得られることである。従って、強磁性共鳴では、大きな効果が確実に得られる。同調要素は、コイルを介して強磁性試料に印加された外部磁場である。他の重要な側面は、線幅が外部分極磁場の均一性にほとんど依存しないということである。従って固有の線幅を簡単に観測できる。現在のところ、最良の標準試料は、完全な球体に研磨された超高純度イットリウム・鉄・ガーネット（ＹＩＧ）の単結晶である。それにおいて線幅は、０．０２Ｇ／ＧＨｚ程度の、Kasuya LeCraw機構と呼ばれる磁気弾性結合のみによって制限される。
【０００３】
ＹＩＧ同調発振器についての科学文献は、膨大であって、これを主題とする特許も数多くある。本発明と関連する先行公報としては、球状試料を用いた高Ｑ値のＹＩＧ同調発振器について記載する特許文献１および特許文献２が挙げられる。前記球状体を薄膜に置き換えることによってマイクロ波集積回路（ＭＩＣ）技術をフル活用する特許文献３および４も挙げることができる。特許文献３に記載されているように、ＹＩＧ試料は、Ｑ値を損なうことなくディスクとしてパターン化できる。
【０００４】
本発明は、ＹＩＧなどの強磁性材料の非線形挙動を利用するものである。この側面は、非特許文献１および２において取り組まれている。パラメトリック励起についての文献は非常に限られている。このテーマについての１つの成果が、非特許文献３にレビューされている。
【特許文献１】特公昭５３−３２６７１号公報
【特許文献２】米国特許第６３４８８４０号明細書
【特許文献３】米国特許第４６２６８００号明細書
【特許文献４】米国特許第４８８７０５２号明細書
【非特許文献１】Ｈ．シュール（H. Suhl）著、「ジャーナル・オブ・フィジクス・アンド・ケミストリー・オブ・ソリッズ（J. Phys. Chem. Solids）」、第１号、１９５７年、ｐ．２０９
【非特許文献２】Ｈ．シュール（H. Suhl）著、「ジャーナル・オブ・アプライド・フィジクス（J. Appl. Phys.）」、第３０号、１９５９年、ｐ．１９６１
【非特許文献３】Ｗ．ヤンツ（W. Jantz），Ｊ．シュナイダー（J. Schneider）著、「フィジシア・ステータス・ソリディ（Phys. Stat. Sol.）」、（ａ）巻、第３１号、１９７５年、ｐ．５９５
【発明の開示】
【発明が解決しようとする課題】
【０００５】
本発明は、強磁性薄膜により同調される公知のマイクロ波発振器の欠点を解消することを目的とするものである。
【０００６】
より具体的には、本発明の目的は、極めて高いＱ値を有するＹＩＧ同調発振器を提供することにある。
【０００７】
本発明の別の目的は、コンパクトで、マイクロ波集積回路に組込むことができる、高Ｑ値の同調発振器を提供することにある。
【０００８】
本発明の目的はまた、当該発振器を、高バイアスにおける高感度の磁場検出に用いることにある。
【課題を解決するための手段】
【０００９】
本発明は、マイクロ波発振器の同調素子として、パラメトリック共鳴を利用することを提案する。非線形レジームにおけるＹＩＧ試料の駆動により、上記で報告された中で最も高いＱ値よりも１桁大きいＱ値を有する、定常スピン波共鳴を観測することができる。さらに、ここで提案する構成は、米国特許第４８８７０５２号明細書（特許文献４）に記載された改良と両立させることができ、よって特に大量生産に適するコンパクトな構成とすることができる。特許文献４に記載された低インダクタンスコイルもまた、速度または消費を最適化するために、本発明と併用してもよい。
【００１０】
より具体的には、本発明は、強磁性薄膜共振器を用いたマイクロ波同調発振器であって、
ａ）マイクロ波集積回路上に配置された強磁性薄膜共振板を含むマイクロ波共振器、
ｂ）前記強磁性薄膜共振板に垂直にバイアス磁界を印加するためのバイアス磁界手段、
ｃ）発振用能動素子、受動帰還素子、および、負荷帰還ループを介して、当該強磁性薄膜共振板のマイクロ波特性により制御される負荷、ならびに
ｄ）前記発振用能動素子と前記マイクロ波共振器との間に接続され、当該強磁性薄膜共振板のパラメトリック励起された共振の一つにおいて持続的発振を確立させるためのオーバーオール正帰還ループ
を含むことを特徴とするマイクロ波同調発振器に関する。
【００１１】
本発明の一側面では、オーバーオール正帰還ループは、マイクロ波の励起によって共鳴飽和または副共鳴の非線形運動レジームにおける強磁性薄膜共振板の磁化が引き起こされるように、発振用能動素子の出力を増幅させるための振幅安定化増幅器を含む。
【００１２】
ある一実施態様では、振幅安定化増幅器は、マイクロ波共振器に静的なマイクロ波の励起をもたらすための、クランプ手段および増幅手段を含む。
【００１３】
本発明のある側面では、オーバーオール正帰還ループは、発振器、および、小さいＡＣ変調と振幅安定化増幅器の出力とを重ねるためのミキサーをさらに含む。
【００１４】
本発明の別の側面では、マイクロ波同調発振器は、変調周波数で動作し、マイクロ波共振器と発振用能動素子との間に接続される同期位相検出器をさらに含む。
【００１５】
強磁性薄膜共振板は、有利には、好ましくはディスク状の、ＹＩＧ（イットリウム・鉄・ガーネット）結晶である。
【００１６】
マイクロ波集積回路は、半波長ストリップ線路共振器を含んでいてもよい。
【００１７】
本発明のある実施態様では、半波長ストリップ線路共振器は、一方の面が導電性の接地層で覆われ、他方の面が被エッチング部を有する金のストライプで覆われたアルミナ基板を含み、ＹＩＧ結晶は、半波長ストリップ線路共振器の中央に配置され、ＧＧＧ（ガドリニウム・ガリウム・ガーネット）基板が、ＹＩＧ結晶と半波長ストリップ線路共振器との間に介挿されている。
【００１８】
発振用能動素子は、ＧａＡｓ  ＦＥＴなどの高速トランジスタを含んでいてもよい。
【００１９】
より具体的には、高速トランジスタとして用いられるＧａＡｓ  ＦＥＴは、インピーダンス整合負荷に接続されたドレイン、受動帰還素子を介して接地されたゲート、および同調発振器の自己発振の周波数に応じて前記負荷を変化させる別のトランジスタに接続されたソースを有する。
【発明を実施するための最良の形態】
【００２０】
本発明のその他の目的、特徴および利点を、添付図面と併せて、以下の記載により明示する。
【００２１】
図１は、本発明による変調発振器の一例のブロック図である。当該発振器は、便宜上、４つのモジュールに分割されている。ＹＩＧ共振器１１０およびそれと結合した検出器１３を含むマイクロ波集積回路、同調発振器２、振幅安定化増幅器３、ならびに同調発振器への負荷帰還４である。
【００２２】
同調発振器２は、ＧａＡｓ  ＦＥＴなどの高速トランジスタ２１を含む。トランジスタ２１のドレインは、インピーダンス整合負荷（ＺL）２３に接続されている。ゲートは、帰還リアクタンス（Ｌ）２４を介して接地されている。トランジスタ２１のソースは、同調発振器２の自己発振の周波数に応じて負荷（ＺL）２５を変化させる別のトランジスタ２２に接続されている。これは、マイクロ波集積回路（ＭＩＣ）１１上に配置され、発振器の出力１６によって励起されたＹＩＧサンプル１１０の特性をモニターすることによって達成できる。トランジスタ２１のソースのインピーダンス２５が、インピーダンス整合負荷２３よりも大きくなったとき、オーバーオール正帰還が、持続的発振を確立させるために用いられる。トランジスタ２１のソースから見たマイクロ波の反射係数Γsは、
【００２３】
【数１】
2008514060.tif 000003
【００２４】
となって回路が自己発振するように、同調負荷２５から見た反射係数ΓLを補償する。以下、本発明に従い、これらの振幅は、パラメトリック共鳴でのみ起こることが保証される。
【００２５】
強磁性薄膜共振板１１０は、１１１方向に沿って液相エピタキシーにより成長したイットリウム・鉄・ガーネット（ＹＩＧ）結晶である。Ｔ＝２８５±０．０２Ｋの温度で測定を行い（ＭＩＣは、温度が安定化されている）、この温度でのＹＩＧの自発磁化は、４πＭs（Ｔ）＝１８１５Ｇである。ＹＩＧ結晶１１０は、半径Ｒs＝８０±４μｍ、厚さＳ＝４．７５０±０．００１μｍのディスク状にイオンミリングされている。発振器によって発生したマイクロ波磁場ｈは、図２に示すように、インピーダンス整合ストリップ線路共振器１１に供給される。他方の面が導電性の接地層１１４で覆われた厚さ０．５ｍｍのアルミナ基板１１３上に、２μｍ厚で０．５ｍｍ幅の金のストライプ１１１を堆積させることによって、当該ストリップ線路は形成されている。５０Ωのインピーダンス整合共振器は、先端から５ｍｍのところに、ストライプ１１１を横断するように３２μｍのギャップ１１５をエッチングすることによって得られる。ストリップ線路のキャビティ１１のＱ値は、約ＱL≒１００であり、その共振周波数は、１０．４７ＧＨｚであり、この５ｍｍの距離が共振の半波長を定めている。マイクロ波キャビティの使用は、絶対不可欠ではないが、ＱLの増大は、非線形レジームにおいてＹＩＧを駆動させるために必要なマイクロ波出力が、小さくなることを意味する。１９０±５μｍ厚のＧＧＧ基板１１２が、ＹＩＧディスク１１０とストリップ線路１１との間に挿入された状態で、ＹＩＧディスク１１０は、当該半波長共振器１１の中央に配置されている。マイクロ波電場ｈは、サンプルの体積全体にわたり、均一である（４％以内）と考えることができる。
【００２６】
外部磁場Ｈextは、コイル１２を介してＹＩＧディスク１１０の表面に垂直に印加される（図１）。
【００２７】
図３は、ディスク軸（Ｏｚ）に沿って印加されたＤＣ磁場Ｈextの関数として、ディスク１１０のマイクロ波感受率を示すグラフである。共振時にサンプルから反射される出力は、信号が横方向の感受率χ”の虚数部に比例するマイクロ波結晶ダイオード１３１（抵抗１３２と結合している）によって検出される（後者の量は、サンプルの体積全体にわたって、空間的に平均化されている）。Ｈextを掃引する際、強磁性共鳴（ＦＭＲ）吸収の最大値の多重性が観測され、これは、例えば文献V. Charbois, V. V. Naletov, J. Ben YoussefおよびO. Klein, J. Appl. Phys. 91, 7337 (2002)で説明されているように、直径方向に沿って励起された基本モードの高周波として同定できる。測定された共振は、サンプルを横断して半径方向に伝搬する複数の静磁波に帰属する。これらの分離は、J. F. Dillon, J. Appl. Phys. 31, 1605 (1960)に記載の円筒アスペクト比により決定される。これらの静磁波は、（ｎ，ｍ）、それぞれ直径方向および円周方向のノード数、によって分類される。磁気交換モードは、P. E. Wigen, Thin Solid Films 114, 135 (1984)で説明されているように、５μｍを超える膜厚では無視できることが判っている。ピークの線幅は、１．５Ｇ程度であり、J .R. Eshbach, J. Appl. Phys. 34, 1298 (1963)で述べられているように、ＹＩＧディスクに典型的な値である。
【００２８】
以下の議論は、上記のあらゆる静磁モードに拡張可能であるが、以後は、最も強いピークである主共鳴に議論を集中する。このモードは、横方向の波数ベクトルｋ0≒π／Ｄを有し、モードの位相が当該サンプルにわたって一様であるため、ここでは、当該モードを一様な歳差運動であるとする。一様であるマグノンの正規化数は、ｕ0＝χ”ｈ／Ｍsとしてｎu＝１／２｜ｕ0｜2であり、ｈは、ＲＦ磁場の円偏極させた振幅であり、Ｍsは、熱平衡時の飽和磁化である。この一様な歳差運動の直接の格子へのエネルギー緩和速度は、η0／γ＝１．０７Ｇと書けよう。M. J. HurbenおよびC. E. Patton, J. Appl. Phys. 83, 4344 (1998)に述べられる有限アスペクト比のディスクについて、一様な歳差運動は、他のスピン波運動と共に縮退する。不均一性、不純物および結晶欠陥は、一様な歳差運動と、ディスクの法線から角度θkで伝搬し、同一のエネルギー（ωk＝ω0）であるが異なる波数ベクトル（ｋ>>ｋ0）である形態ｕκｅ−iωktの縮退モードとの線形結合をもたらし、
【００２９】
【数２】
2008514060.tif 000004
【００３０】
は、熱力学平衡へのこれらの平均減衰率となる。ηsp／γ＝０．２Ｇが、垂直方向に磁化されたディスクに対する、不均一散乱による一様な歳差運動の一定した減衰であった場合、ηspが小さいことが予想される。
【００３１】
Suhlが文献J. Phys. Chem. Solids 1, 209 (1957)で示すように、減磁エネルギー中の二次効果は、歳差運動の角度が２〜３度を超過する際に、重要となる。当該二次効果は、縮退スピン波モードの独立性を破壊する。ｕ02によるべき級数として表す場合、共鳴時の主要な行列要素は、波数ベクトル（＋ｋ）の縮退モードと逆の波数ベクトル（−ｋ）の縮退モードとを結合させるξκu02の表現となる。ここで、読者が、上記の論文を完全に扱うために参照できるように、Suhlの注釈を意図的に使用する。結合ξkは、θkに依存し、最大振幅ξK｜max／γ＝２πＭs（≒９００Ｇ）が、θk＝０（ｚに沿う）で伝搬するスピン波に対して得られる。本発明のディスク１１０において、これらのスピン波は、マグノンの多様体から計算される波数ベクトルｋmax≒６．３×１０4ｃｍ-1を有する。２ξk｜ｕ0｜2が、ηz／γ＝０．１５Ｇ｛これらｚ方向を向いたマグノンの格子への緩和
【００３２】
【数３】
2008514060.tif 000005
【００３３】
速度｝と同程度になると、結合メカニズムは、臨界閾値に達する。一様な運動は、ｋmaxでＭ方向に沿って伝搬するパラメトリック励起された一対のスピン波に変化する。そして、重要な結果として、ユニフォームモードの共鳴飽和が起こる。それは、これらのパラメトリック励起された一対のスピン波の実効減衰率
【００３４】
【数４】
2008514060.tif 000006
【００３５】
の減少として説明され得るものであり、これは、ユニフォームモードの振幅が臨界値に近づくにつれ、無限に小さくなる。本発明の発振器の同調に、この無限に小さい線幅を用いることを提案する。非線形補正
【００３６】
【数５】
2008514060.tif 000007
【００３７】
のための分析的表現が、Suhlにより、
【００３８】
【数６】
2008514060.tif 000008
【００３９】
として、縮退スピン波（ｋ≠０）間の非線形相互作用を無視し、ユニフォームモードとそれらを結合させる部分を除いて導き出されている。一様なマグノンの臨界値ｎc＝１／２χ”02ｈc2／Ｍs2は、χ”0＝２γＭs／（η0＋ηsp）、低出力感受率、および
【００４０】
【数７】
2008514060.tif 000009
【００４１】
飽和出力に依存する。
【００４２】
図４に、ＲＦ磁場依存性を、共鳴時に評価した両χ”の関数としてプロットした。マイクロ波感受率のデータが、ｈc＝５ｍＧにおいて、早期の飽和挙動を示していることが観察されるだろう。２つのマグノンの散乱が存在すると、感受率は、陰関数表示された等式
【００４３】
【数８】
2008514060.tif 000010
【００４４】
に従うことが示された（式中、関数ｆは式２に定義されたものである）。本発明のディスク１１０についてｈc＝５ｍＧの観測値は、予測と一致する。本発明の思想は、ｈcでディスク１１０を励起し、これの閾値付近で感受率をモニターすることである。本発明の目的は、η0の変わりに損失パラメータ
【００４５】
【数９】
2008514060.tif 000011
【００４６】
によって決定した共鳴線幅を用いることである。
【００４７】
このようにして、２０μＷの定常マイクロ波磁場（ｈ0＝８ｍＧ）が、サンプル１１０に印加される。これは、ダイオードブリッジ３１，３２を介して同調発振器２の出力をクランプし、その後、振幅安定化増幅器３において所望の出力レベルで増幅器３０を用いて出力を増幅することにより達成される（図１）。この出力レベルは、マイクロ波のレベルが飽和閾値を丁度超えたところにあることを保証する。磁場は、飽和付近で一様な歳差運動を推進し、その結果、寿命が不安定に近い双方の縮退マグノンをもたらすほどに大きい。この静的ポンピングの上に、マイクロ波出力０．１μＷppの小さいＡＣ変調が重ねられる。フル出力のソース変調、すなわち、
【００４８】
【数１０】
2008514060.tif 000012
【００４９】
においてε＝１を用いることによって量を得ることができる。これは、ε＝０．００２５の入射マイクロ波の振幅における変調に対応する。振幅安定化増幅器３の出力は、ミキサー１４の入力に印加される（図１）。図５は、ソース変調を得るために、振幅器４１からミキサー１４に印加された電圧を示す。ミキサー１４の出力は、断路器１５を介してＹＩＧ共振器１の入力１６に印加される。ロックイン法により変調ωsで同相で測定される信号を図６にプロットする。パラメトリック共鳴として同定される極度に狭い一連のピークが観測され得る。これらのピークの半値幅は、約０．０３Ｇであり、ＦＭＲの文献で今まで報告された中で最も細い線幅である。この値は、式２より予測される
【００５０】
【数１１】
2008514060.tif 000013
【００５１】
の減少と一致する。ピーク間の距離は、およそ０．０６Ｇである。この結果は、まず最初に、可能な振動モードが、境界条件と一致しなければならないことに最初に注目することで説明される。従って、許容スピン波ｋは、有限の寸法のサンプルでは不連続であり、ｋ−空間長スケールは、最大のサンプル寸法により定められる（Δｋ＝π／Ｄ）。従って、定常エネルギー面は、ＹＩＧ中の交換定数Ｄ／ｈ＝０．０８９ｃｍ2radsec-1として、ΔＨ＝２ＤｋΔｋの一定間隔で、この不連続なグリッドを遮断する。数値的応用により、実験データにきれいに一致するΔＨ＝０．１２Ｇが得られる。εの増加に伴い、周波数変調効果として単に理解される、鋭いピークの併合が実験的に観察される。
【００５２】
これらの同調して検出されるパラメトリック共鳴は、その後、ＦＥＴトランジスタ２２を介して発振器に帰還され、当該ＦＥＴトランジスタ２２は、ＹＩＧ共振器１の検出器１３からの入力信号と発振器４１からの基準信号とを受信する回路４０を有する位相検出器４によって与えられる信号Ｖtを、ゲートで受信する。
【００５３】
なお、ＹＩＧ結晶１１０の非線形ダイナミクスをモニターするために、χ”の変わりに縦方向の信号を用いることも可能である。機械的な検出器〔例えば、磁力マイクロコープまたはコイル｛例えば、R. W. Damon, Rev. Mod. Phys. 25, 239 (1953)の文献に記載｝〕も使用できる。
【００５４】
このように、本発明は、強磁性薄膜１１０のパラメトリック励起による共振にロックオンされた同調発振器２を提案する。当該同調発振器２は、高速トランジスタ２１、受動帰還素子２４、およびイットリウム・鉄・ガーネット（ＹＩＧ）膜１１０のマイクロ波特性によって制御される負荷２３を含む。発振器の信号は、ＹＩＧサンプル１１０を含むマイクロ波共振器１１に供給される。オーバーオール正帰還が、ＹＩＧのパラメトリック励起された共振の一つにおいて持続的発振を確立させるために用いられる。これは、マイクロ波の励起によって、非線形運動レジーム（共鳴飽和または副共鳴）でのＹＩＧの磁化が引き起こされるように、発振器の出力を増幅することによって達成される。小さいＡＣ変調（周波数４１のソース）は、増幅器３によってもたらされる上記の静的な励起に重ねられる。非常に鋭い共鳴が、パラメトリック励起された定常スピン波で生じる。これらは、変調周波数で動作する同調検出器４によって増幅される。同調検出器４の出力は、発振器２の負荷を制御する。パラメトリック励起された共振は、主共鳴よりもはるかに大きいＱ値を有するため、超高周波数安定性が得られる。
【図面の簡単な説明】
【００５５】
【図１】本発明によるＹＩＧ同調発振器（ＹＴＯ）の好ましい実施態様を示すブロック図である。
【図２】本発明と併用され得るマイクロ波共振器のブロック図である。
【図３】ＹＴＯについて、線形レジームにおける主共鳴を示すグラフである。
【図４】ＹＴＯについて、マイクロ波磁場の強度の関数として横方向のマイクロ波感受率を示すグラフである、
【図５】本発明による、ＹＴＯのソース変調シークエンスを示すグラフである。
【図６】本発明による、ＹＴＯと併用できる対応するパラメータ共鳴を示すグラフである。
【図１】
2008514060.tif 000014
【図２】
2008514060.tif 000015
【図３】
2008514060.tif 000016
【図４】
2008514060.tif 000017
【図５】
2008514060.tif 000018
【図６】
2008514060.tif 000019
【国際調査報告】
2008514060.tif 000020
2008514060.tif 000021
2008514060.tif 000022
2008514060.tif 000023
2008514060.tif 000024